(57)【要約】【課題】音楽、映像、ゲーム等のコンテンツを簡易な手法で入手できる情報配信システムを提供する。【解決手段】Ｗｅｂサーバとコンテンツを保存・蓄積するデータベースとを備えるコンテンツサーバ１と、カード又はシート形状の記録担体３に印刷又は埋め込まれたＵＲＬと直接視認又は認識不可能にされたユニークＩＤとを読取りコンテンツサーバから通信ネットワーク４を介してコンテンツを受信する携帯通信端末２とから構成され、コンテンツサーバは、携帯通信端末で読取られたＵＲＬが示すＷｅｂページを介してユニークＩＤを携帯通信端末から受信するユニークＩＤ受信手段と、予めユニークＩＤに関連付けられて保存されたコンテンツをデータベースから検索するコンテンツ検索手段と、検索結果得られたコンテンツを携帯通信端末に送信するコンテンツ送信手段を有する。【選択図】図１
2006184980.tif 000002
【特許請求の範囲】
【請求項１】
カード又はシート形状の記録担体に印刷又は埋め込まれた情報に基づき音楽、映像、ゲームプログラム等のデジタルコンテンツを配信する情報配信システムであって、
少なくとも通信ネットワークに接続するＷｅｂサーバとコンテンツを保存・蓄積するデータベースとを備えるコンテンツサーバと、
前記記録担体に印刷又は埋め込まれたＵＲＬと直接視認又は認識不可能にされたユニークＩＤとを読取りコンテンツサーバと通信ネットワークを介して接続し前記コンテンツを受信する携帯通信端末とから構成され、
前記コンテンツサーバは、
前記携帯通信端末で読取られた前記ＵＲＬが示すＷｅｂページを介してユニークＩＤを該携帯通信端末から受信するユニークＩＤ受信手段と、
予め前記ユニークＩＤに関連付けられて保存されたコンテンツを前記データベースから検索するコンテンツ検索手段と、
検索結果得られた当該コンテンツを前記携帯通信端末に送信するコンテンツ送信手段を有することを特徴とする情報配信システム。
【請求項２】
前記記録担体は、シート本体及び該シート本体に被せて剥離可能に粘着させた被覆シートとからなり、該被覆シートは手で剥がせるように設けたカード形状のカード部とを有することを特徴とする請求項１に記載の情報配信システム。
【請求項３】
前記ユニークＩＤは、前記カード部の背面又は前記シート本体の表面に印刷されていることを特徴とする請求項２に記載の情報配信システム。
【請求項４】
前記記録担体は、前記ユニークＩＤが不可視又は読取り不可能な状態で開封可能な袋に入れられていることを特徴とする請求項１に記載の情報配信システム。
【請求項５】
前記ＵＲＬ及びユニークＩＤは、マトリックス型２次元コードに埋め込まれていることを特徴とする請求項１に記載の情報配信システム。
【請求項６】
前記ＵＲＬ及びユニークＩＤは、前記携帯通信端末で非接触読取り可能に構成されたＩＣチップ内にデジタルデータとして埋め込まれていることを特徴とする請求項１に記載の情報配信システム。
【請求項７】
前記コンテンツサーバは、前記携帯通信端末又は携帯通信端末が備えるブラウザの種類を自動判別し該携帯通信端末に適応するＷｅｂページ及び／又はコンテンツを送信することを特徴とする請求項１に記載の情報配信システム。
【請求項８】
前記携帯通信端末は無線による第１の通信経路に加えて無線又は有線による第２の通信経路及び／又は着脱可能なデジタルメモリを備え、
前記コンテンツは第２の通信経路又はデジタルメモリにより供給され、コンテンツを再生又は実行するためのライセンス又はキー情報は前記第１の通信経路により供給されることを特徴とする請求項１に記載の情報配信システム。
【請求項９】
前記コンテンツサーバ及び携帯通信端末は前記ユニークＩＤ又は前記記録担体に印刷又は埋め込まれた前記コンテンツサーバへアクセスするためのアクセスコードを基に暗号キーを生成し、
前記携帯通信端末はコンテンツの再生又は実行開始の都度該暗号キーにより前記コンテンツサーバの認証を受けてコンテンツの再生又は実行を行うことを特徴とする請求項１に記載の情報配信システム。
【請求項１０】
前記コンテンツサーバは、前記ユニークＩＤを送信した携帯通信端末を識別管理し、携帯通信端末毎のコンテンツの再生又は実行する有効回数又は有効期間を管理するスケジュール管理手段を有することを特徴とする請求項１に記載の情報配信システム。
【請求項１１】
前記コンテンツサーバは、前記コンテンツを配信する際に前記携帯通信端末内でコンテンツの再生又は実行する有効回数又は有効期間を設定するためのプログラムを併せて送信することを特徴とする請求項１に記載の情報配信システム。
【発明の詳細な説明】
【技術分野】
【０００１】
本発明は、音楽、映像、ゲームプログラム等のデジタルコンテンツを配信する情報配信システムに関するもので、詳しくはカード又はシート形状の記録担体に印刷又は埋め込まれた情報を基にコンテンツを配信するように構成した情報配信システムに関するものである。
【背景技術】
【０００２】
近年、携帯電話には、着信メロディや待受画像といったようなデジタルコンテンツを配信するコンテンツ配信事業者が存在するが、さらにより多くの音楽や画像から選択できるように、その選択肢を増やして欲しいという要求があり、このような利用者の要求に答えるため、事業者側は音楽や画像に趣向を凝らすと共に、それらの配信手段として直接携帯電話にダウンロードするといった手法で利用者の要求に答えている。
【０００３】
ダウンロードの手法としては、携帯電話からブラウザや電子メールにより発信されたダウンロード要求に対し、携帯電話の通信事業者がこれを受け、インターネット等の通信ネットワークを介して配信元アドレスを有する事業者側のコンテンツ配信サーバに接続し、コンテンツ配信サーバは携帯電話が要求するコンテンツ（音楽や画像）が配信可能かどうかを判断し、これを利用できる携帯電話であると確認された場合にサーバはその要求を受け、コンテンツのダウンロード要求に応えて配信を開始する。携帯電話にダウンロードされたコンテンツは、携帯電話内の記録媒体に格納され携帯電話で再生或いは表示される。
【０００４】
コンテンツの利用の際には著作権保護等の観点から第３者に不正使用されないような手法を組込む必要がある。このようにして利用者が得たコンテンツを、他の再生機器で利用できないようにするための手法の一例としては、特許文献１に開示の情報配信方法が挙げられる。この情報配信方法は、利用者を特定するためのユーザ毎のＩＤ（Ｉｄｅｎｔｉｆｉｃａｔｉｏｎ）と、ユーザの特定及び暗号化／復号化に使用されるユーザ毎の秘密鍵とを記録した情報カードを使用するもので、この情報カードを有する端末を、通信回線を介してサーバと接続し、情報カード内のＩＤと秘密鍵を使用してユーザの認証をサーバ側で得ようとするもので、認証が得られると、情報カード内の秘密鍵と同一秘密鍵で暗号化された情報をサーバより端末に配信し、配信された情報を情報カード内の秘密鍵を用いて復号化し再生するものである。
【０００５】
【特許文献１】特開２００２−３７４２４４号公報
【発明の開示】
【発明が解決しようとする課題】
【０００６】
しかしながら、特許文献１に開示の情報カードはＩＣカードを想定したものであり、コンテンツを購入するためのプリペイドカードとしての使用を前提としたものであることから、情報カードそのものの購入価格もコンテンツ使用料に相当するものでよく、その原価を購入価格に載せられる範囲で設定することもできるが、例えば商品のおまけとして添付しユーザに無料配布するような原価を極めて安く設定するような用途には適さないという問題がある。
【０００７】
以上のような背景や問題点に鑑み、本発明は携帯電話の着信メロディや待受画像等の音楽や画像、ゲームプログラム、及び動画も含めたデジタルコンテンツを、より簡単に取得できるように、予め必要な情報が印刷或いは埋め込まれた印刷シート等の廉価な記録担体を用いて、事業者側のコンピュータに通信ネットワークを介し接続してダウンロードできる情報配信システムを提供することを目的とする。
【課題を解決するための手段】
【０００８】
上記目的を達成するため、本発明の請求項１に係る情報配信システムは、カード又はシート形状の記録担体に印刷又は埋め込まれた情報に基づき音楽、映像、ゲームプログラム等のデジタルコンテンツを配信する情報配信システムであって、
少なくとも通信ネットワークに接続するＷｅｂサーバとコンテンツを保存・蓄積するデータベースとを備えるコンテンツサーバと、前記記録担体に印刷又は埋め込まれたＵＲＬと直接視認又は認識不可能にされたユニークＩＤとを読取りコンテンツサーバと通信ネットワークを介して接続し前記コンテンツを受信する携帯通信端末とから構成され、
前記コンテンツサーバは、前記携帯通信端末で読取られた前記ＵＲＬが示すＷｅｂページを介してユニークＩＤを該携帯通信端末から受信するユニークＩＤ受信手段と、予め前記ユニークＩＤに関連付けられて保存されたコンテンツを前記データベースから検索するコンテンツ検索手段と、検索結果得られた当該コンテンツを前記携帯通信端末に送信するコンテンツ送信手段を有することを特徴としている。
また、請求項２に記載の前記記録担体は、シート本体及び該シート本体に被せて剥離可能に粘着させた被覆シートとからなり、該被覆シートは手で剥がせるように設けたカード形状のカード部とを有することを特徴としている。
また、請求項３に記載の前記ユニークＩＤは、前記カード部の背面又は前記シート本体の表面に印刷されていることを特徴としている。
また、請求項４に記載の前記記録担体は、前記ユニークＩＤが不可視又は読取り不可能な状態で開封可能な袋に入れられていることを特徴としている。
また、請求項５に記載の前記ＵＲＬ及びユニークＩＤは、マトリックス型２次元コードに埋め込まれていることを特徴としている。
また、請求項６に記載の前記ＵＲＬ及びユニークＩＤは、前記携帯通信端末で非接触読取り可能に構成されたＩＣチップ内にデジタルデータとして埋め込まれていることを特徴としている。
また、請求項７に記載の前記コンテンツサーバは、前記携帯通信端末又は携帯通信端末が備えるブラウザの種類を自動判別し該携帯通信端末に適応するＷｅｂページ及び／又はコンテンツを送信することを特徴としている。
また、請求項８に記載の前記携帯通信端末は無線による第１の通信経路に加えて無線又は有線による第２の通信経路及び／又は着脱可能なデジタルメモリを備え、前記コンテンツは第２の通信経路又はデジタルメモリにより供給され、コンテンツを再生又は実行するためのライセンス又はキー情報は前記第１の通信経路により供給されることを特徴としている。
また、請求項９に記載の前記コンテンツサーバ及び携帯通信端末は前記ユニークＩＤ又は前記記録担体に印刷又は埋め込まれた前記コンテンツサーバへアクセスするためのアクセスコードを基に暗号キーを生成し、前記携帯通信端末はコンテンツの再生又は実行開始の都度該暗号キーにより前記コンテンツサーバの認証を受けてコンテンツの再生又は実行を行うことを特徴徴としている。
また、請求項１０に記載の前記コンテンツサーバは、前記ユニークＩＤを送信した携帯通信端末を識別管理し、携帯通信端末毎のコンテンツの再生又は実行する有効回数又は有効期間を管理するスケジュール管理手段を有することを特徴としている。
また、請求項１１に記載の前記コンテンツサーバは、前記コンテンツを配信する際に前記携帯通信端末内でコンテンツの再生又は実行する有効回数又は有効期間を設定するためのプログラムを併せて送信することを特徴としている。
【発明の効果】
【０００９】
本発明の情報配信システムによれば、音楽や映像或いはゲームを携帯電話にダウンロードして使用する際のコンテンツ使用料金が、印刷シート等により販売することで回収でき、また、書籍、音楽ＣＤ、嗜好食品、清涼飲料水等の商品に添付した場合は、その付加価値を高めることや、印刷シート等が安価に製作できることからキャンペーンコストの削減が期待できる。また、情報配信サーバのＵＲＬ（Ｕｎｉｆｏｒｍ  Ｒｅｓｏｕｒｃｅ  Ｌｏｃａｔｏｒ）がマトリックス型２次元コードに埋め込まれている場合は、カメラ付き携帯電話により容易に読取れることからアクセスが簡単になる。また、記録担体がカード形状の場合は、持ち歩ける好適なサイズとなることから、このカードに記載された接続手段（ＵＲＬ、ＩＤ、アクセスコード）により、簡単に音楽や映像（例えば、着信メロディや待受画面、動画、ゲームプログラムを含む）を携帯電話にダウンロードすることができるようになる。
【発明を実施するための最良の形態】
【００１０】
以下、本発明を実施するための最良の形態について図を参照して説明する。
【実施例１】
【００１１】
図１は、本実施形態による情報配信システムの実施例１の概念図である。
図１に示すように本発明の実施例１は、事業者側のコンテンツサーバ１に接続するためにアクセスカード（記録担体）３に印刷されたマトリクス型２次元コードをカメラ付携帯電話（携帯通信端末）２で読取り、携帯電話２は読取った２次元コードに埋め込まれたＵＲＬに基づいてＷｅｂブラウザを立上げ、ユーザにＵＲＬが示すコンテンツサーバ１への接続を促し、ユーザ操作により携帯電話２の通信事業者の無線通信ネットワーク（基地局）５を介してインターネット（通信ネットワーク）４に接続されているＵＲＬが示すコンテンツサーバ１へ接続する。携帯電話２からの接続要求を受けたコンテンツサーバ１は、これに応答し、引数としてＵＲＬに含まれるユニークＩＤ（一意な識別情報）に基づき、予めこのユニークＩＤ対応して保存されていたコンテンツを要求のあった携帯電話２に送信する。
【００１２】
図２は、図１に示すシステムの概略構成図であり、その構成を参照して実施形態を説明する。
図２に示す１は、事業者が顧客（ユーザ）にデジタルコンテンツを提供するためのコンテンツサーバであり、各種のハードウェア及び所定のソフトウェアにより必要な各手段を実現するためのコンピュータシステムである。１１はコンピュータシステムを司る中央制御部であり各種の機能や手段を実現する。１２は通信ネットワーク４と接続して携帯電話２等の通信端末に各種コンテンツを配信するためのＷｅｂサーバであり、１３はこれらのコンテンツを外部又は他の装置から予め通信ネットワークを介してデータベース１９に保存・蓄積するためのＦＴＰサーバである。
【００１３】
１４は暗号生成手段であり、コンテンツ自身の暗号化を行い通信ネットワーク上で第３者により不正取得される可能性を抑止する。１５は照合・認証手段であり、携帯電話２からＵＲＬの引数として暗号化されて送信されたユニークＩＤを復号化した後、データベースに予め登録されているＩＤと照合して正しいＩＤが正しく用いられている場合これを認証し、そうでない場合はＷｅｂサーバ１２を介してＩＤを送出した携帯電話２にその旨通知する。１６は端末判別手段であり、携帯電話をはじめとする各種通信端末を、ＨＴＴＰリクエストヘッダ情報を基に自動識別するもので、当該通信端末で正しく動作するＷｅｂページの送信及び対応するコンテンツの配信を行うためのものである。１８はスケジュール管理手段であり、配信したコンテンツを携帯電話２で再生・表示・実行できる回数やその使用期限等を管理する。１９のデータベースには予め生成しておいたユニークＩＤが登録されており、携帯電話２に配信されるデジタルコンテンツがこのユニークＩＤに関連付けられて保存・蓄積されている。
【００１４】
２は携帯電話であり、２次元コードを読取るカメラ（図示せず）が装備されており、またＷｅｂブラウザや電子メール送受信機能を備えてインターネットの利用が可能な機種が用いられる。２１はアプリケーション用のＣＰＵ（Ｃｅｎｔｒａｌ  Ｐｒｏｃｅｓｓｉｎｇ  Ｕｎｉｔ）であり、携帯電話網に接続して通話やパケットの送受信を行うための通信制御用のコンピュータとは別個に備えられたものである。２２はＷｅｂブラウザであり、ユーザにＧＵＩ（Ｇｒａｐｈｉｃ  Ｕｓｅｒ  Ｉｎｔｅｒｆａｃｅ）又はＣＵＩ（Ｃｈａｒａｃｔｅｒ  ｂａｓｅｄ  Ｕｓｅｒ  Ｉｎｔｅｒｆａｃｅ）環境を提供し、コンテンツサーバ１と接続してコンテンツをダウンロードするためのインターフェースとなる部分である。
【００１５】
２３はＩＤ情報読取手段であり、携帯電話２に装備されたカメラで撮像されたアクセスカード３の２次元コードを読取りＷｅｂブラウザ２２上に読取られたＵＲＬ及びユニークＩＤ情報等を表示する。２４はＩＤ情報送信手段であり、Ｗｅｂブラウザ２２上に表示されたＵＲＬやアクセスコード等をユーザに確認させ、ユーザ操作により、通信事業者の無線通信ネットワークや基地局５を経て通信ネットワーク４を介し該当するコンテンツサーバ１宛てにＵＲＬの引数としてユニークＩＤ情報を送信する。２５は暗号生成手段であり、携帯電話２からコンテンツサーバ１宛てに送信されるユニークＩＤを暗号化するために用いられる。２６はコンテンツ受信手段であり、コンテンツサーバ１が携帯電話２から受信したＩＤ情報の認証を済ませた後、携帯電話２からの送信とは逆の通信経路で送信した対応するコンテンツを受信する。
【００１６】
２７はコンテンツ再生／実行手段であり、Ｗｅｂブラウザ２２を介して音楽の再生、画像の表示、ゲームプログラムの実行等を行う。２８はスケジュール管理手段であり、携帯電話２でこれらのデジタルコンテンツの再生、表示、実行を行う回数やその使用期限を管理しており、コンテンツサーバ１のスケジュール管理手段１８からコンテンツと共に送信されてきたスケジュール情報に基づき管理する。
【００１７】
なお、コンテンツサーバ１、及びこの中に含まれるＷｅｂサーバ１２、ＦＴＰサーバ１３、データベース１９、及び各手段１４〜１８は、市販のＰＣ（パーソナルコンピュータ）やワークステーションに実装された所定のプログラムの実行により動作するものであり、ＰＣやワークステーションを構成する中央制御部１１の制御により動作するメモリやハードディスク等の記憶装置、画像やテキスト等を表示する表示装置、キーボードやマウス等の入力装置、及び通信ネットワーク４との入出力装置や他の外部接続装置、付随する管理用端末装置等に関する説明及びその構成図面は省略する。同様に、携帯電話２内に実装されたＷｅｂブラウザ２２、２３〜２８の各手段も、携帯電話内に実装されたハードウェアや所定のプログラムの実行により動作するものであり、携帯電話２の通信に関する部分の構成やキー、スピーカ、液晶表示装置等の入出力装置の説明や構成図面等も省略する。
【００１８】
次に、個々の部分及びその動作について説明する。
図３は、記録担体３として印刷シートを用いたものであり、図３（ａ）は、印刷シートを示し、図３（ｂ）は、その印刷シートから剥離したカード部の背面を示している。
印刷シート３は、シート本体３ａ及びこのシート本体３ａに被せて被覆シート３ｂを剥離可能に粘着させて形成したもので、被覆シート３ｂに、手で剥がせるように設けたカード形状のカード部３ｃと、カード部３ｃの背面に記載した接続手段（ＵＲＬ、ユニークＩＤ、アクセスコード）とを設け、利用者がこの接続手段を用いてコンテンツサーバ１に接続し、音楽や映像のコンテンツを携帯電話２にダウンロードすることで、様々なコンテンツ（例えば、着信メロディや待受画面、動画、ゲームプログラム等）を利用できるようにする。
【００１９】
図３に示す印刷シート３は、音楽、映像、ゲームプログラム等のデジタルコンテンツを携帯電話２にダウンロードする目的で利用者が購入したり、或いは商品キャンペーンのおまけとして利用者に提供したりするものであり、シート本体３ａの表面に被覆シート３ｂを重ねて被せ、それぞれを感圧接着剤で粘着させたものである。この感圧接着剤は一時接着性の粘着剤であり、必要に応じて利用者が手で剥がせるように、被覆シート３ｂをシート本体３ａに粘着させている。被覆シート３ｂには、カード形状に切り取られて、シート本体３ａに粘り付けられているカード部３ｃがある。このカード部３ｃの背面には、事業者側が用意したコンテンツサーバ１への接続手段、即ち、ＵＲＬ、ユニークＩＤ、アクセスコードが印刷されている。カード部３ｃの背面にはさらにマトリックス型２次元コードとしてＱＲコード（登録商標）が印刷されており、携帯電話２に装備されたカメラのＯＣＲ機能等を用いてこのＱＲコード（登録商標）を読取り、Ｗｅｂブラウザ２２を立ち上げてユーザにコンテンツサーバ１への接続を促す。また、カード部３ｃを剥離することにより露出するシート本体３ａ側には、ＵＲＬの他に電子メールアドレス等の連絡方法や、コンテンツの説明が記載されている（図示せず）。
【００２０】
コンテンツサーバ１に接続するための情報が印刷又は埋め込まれた記録担体３は、図３に示した印刷シートのように目視により直接視認できない構造であればどのような形態でもかまわない。例えば接続情報が印刷されたシートを不透明な袋に入れたもの、印刷されたシートを折りたたんだもの、削ることで印刷部が表示されるスクラッチカード等が考えられる。
【００２１】
２次元コードには、スタック型のＰＤＦ４１７、コード４９、コード１６Ｋ、コーダブロック等や、マトリックス型のデータコード、マキシコード、ＣＰコード、ＱＲコード（登録商標）等が知られているが、携帯電話に装着されたカメラを用いて読取るものとして、ＪＩＳ  Ｘ  ０５１０、ＩＳＯ／ＩＥＣ１８００４にも制定されたＱＲコード（登録商標）が採用されている。従来のバーコードと比較した２次元コードの特徴としては、大きなデータ容量を持つこと、高密度印字が可能なこと、誤り訂正能力を持つこと、３６０度の全方向読取りが可能なこと、英数字、漢字、仮名文字、バイナリデータに対応していること等が挙げられ、単なる識別コードから情報コードとしての役割に代わるものともいえる。
【００２２】
図４は、図３に示すカード部３ｃに埋め込まれたＵＲＬの説明図である。
図３（ｂ）に示したように、カード部３ｃの２次元コードには、コンテンツサーバ１のＷｅｂサーバ１２へ接続するためのＵＲＬが埋め込まれており、ｈｔｔｐ：／／ｗｗｗ．ｘｙｚ．ｃｏ．ｊｐ／ｃｏｎｔｅｎｔｓ．ｐｈｐ？１２３４５６７８９０＆ａｂｃｄｅｆｇが２次元コード化されて印刷されている。ここで、ｈｔｔｐ：／／ｗｗｗ．ｘｙｚ．ｃｏ．ｊｐがＷｅｂサーバ１２のアドレスであり、ｃｏｎｔｅｎｔｓ．ｐｈｐが対応するＷｅｂページを示している。また、ｃｏｎｔｅｎｔｓ．ｐｈｐはデータベース１９と連携したサーバサイドプログラムにより生成されるＷｅｂページであり「？」以降の引数１２３４５６７８９０がユニークＩＤ、「＆」以降の引数ａｂｃｄｅｆｇがアクセスコードを示している。
【００２３】
携帯電話２に読み込まれて表示されたＵＲＬが例えば、ｈｔｔｐ：／／ｗｗｗ．ｘｙｚ．ｃｏ．ｊｐ／ｃｏｎｔｅｎｔｓ．ｐｈｐ？１２３４５６７８９０＆ａｂｃｄｅｆｇだったとすると、携帯電話２のＷｅｂ  Ｔｏ機能により、表示されたアドレスをクリックすることでＷｅｂブラウザ２２を呼び出し、通信事業者の携帯電話網（無線通信ネットワーク）、基地局５、及びインターネット４を介してリンク先のｗｗｗ．ｘｙｚ．ｃｏ．ｊｐサイト、即ちコンテンツサーバ１のＷｅｂサーバ１２と接続してｃｏｎｔｅｎｔｓ．ｐｈｐのＷｅｂページを介してユニークＩＤ１２３４５６７８９０及びアクセスコードａｂｃｄｅｆｇが転送される。実際には読取られたこれらのユニークＩＤ及びアクセスコードは後述するように暗号化されて表示され送信される。なお、ＷｅｂフォームによるＷｅｂページ間の値の受け渡し、即ちユニークＩＤやアクセスコードの受け渡しは、図４に示すようにＵＲＬの引数として送信する“ＧＥＴ”による方法の他に、ＵＲＬの引数としない“ＰＯＳＴ”による方法を用いる方が暗号化する場合も含めセキュリティ上望ましい。
【００２４】
コンテンツサーバ１内のＷｅｂサーバ１２はダイナミックにＷｅｂページを生成するサーバサイドプログラム（図示せず）を含んで構成されており、携帯電話２のＷｅｂブラウザ２２からの要求に応答し、ＵＲＬに含まれるユニークＩＤとアクセスコードを基にデータベース１９から必要なデータと対応するコンテンツを取出し、認証を済ませた後、要求のあった携帯電話２にコンテンツを送信する。なお、リアルタイム或いはバッチ処理により登録・更新されるデータベース１９のコンテンツの内容及び登録・更新処理については、その説明を省略する。また埋め込まれるＵＲＬはＷｅｂに限らず、Ｍａｉｌ  ＴｏやＰｈｏｎｅ  Ｔｏ機能を用いて電子メールの送信先アドレス、或いは電話番号を埋め込み、これらの手段を用いて情報が伝送するように構成しても良い。また、２次元コードの仕様・構成、携帯電話機での読取りアルゴリズム、携帯電話機の実際の動作と連携するプログラム等、本発明の要旨ではない事柄の図面及びその説明は省略する。
【００２５】
コンテンツを配信する際には著作権保護等の観点から第３者に不正使用されないように情報を暗号化して送受信することが望ましい。Ｗｅｂサーバ、Ｗｅｂブラウザ間の通信は、ｈｔｔｐ／ｈｔｔｐｓ（Ｈｙｐｅｒｔｅｘｔ  Ｔｒａｎｓｆｅｒ  Ｐｒｏｔｏｃｏｌ  Ｓｅｃｕｒｉｔｙ）により実現できる。ｈｔｔｐｓはＷｅｂサーバとＷｅｂブラウザ等によるクライアント間のデータの送受信に使われるＨＴＴＰに、ＳＳＬ（Ｓｅｃｕｒｅ  Ｓｏｃｋｅｔｓ  Ｌａｙｅｒ）によるデータ暗号化機能を付加したものである。ＳＳＬは公開鍵暗号や秘密鍵暗号、デジタル証明書、ハッシュ関数等のセキュリティ技術を組合せ、データの盗聴や改ざん、なりすましを防ぐことを可能にしたもので、ＨＴＴＰ等の上位のプロトコルを利用するアプリケーションソフトからは、特に意識することなく透過的に利用することが可能となっている。
【００２６】
携帯電話２とコンテンツサーバ１とのコネクション確立の際のサーバ認証処理及びユーザ認証処理には、ＲＳＡ（Ｒｉｖｅｓｔ  Ｓｈａｍｉｒ  Ａｄｌｅｍａｎ）認証やＰＫＩ（Ｐｕｂｌｉｃ  Ｋｅｙ  Ｉｎｆｒａｓｔｒｕｃｔｕｒｅ）システム等の方式を利用する事ができる。ＲＳＡ認証は公開鍵暗号方式の一つで公開鍵暗号の標準として広く普及している。ＲＳＡ暗号を解読するには巨大な整数を素因数分解する必要があり鍵の発見が困難であることから結果的にセキュリティが確保されるといえる。公開鍵の交換は予めユーザ登録の際にユーザ側携帯電話２とコンテンツサーバ１間で行っておく。ＰＫＩは公開鍵基盤又は公開鍵暗号基盤とも称され、電子署名と暗号技術を兼ね備え安全な電子通信を確保するための認証機関から証明書を発行する基盤の仕組みであり、様々なインターネット取引に使用されつつある。ユーザ認証情報はユーザ登録の際に認証機関のサーバ内データベースに保存され、サーバ認証情報はユーザ登録の際に認証機関のサーバから通知されユーザ側の端末で保存される。なお、本実施形態では、ユーザに提供するアクセスカードに印刷又は埋め込まれたユニークＩＤとアクセスコードが、予めコンテンツサーバ１のデータベース１９に登録されているので、ユニークＩＤ又はアクセスコードを公開鍵、秘密鍵、或いは共通鍵として用いることができる。
【００２７】
図７に、暗号キーを用いた暗号化及び電子署名の公開鍵暗号方式による一般的な構成を示す。
図７の上段は公開鍵暗号方式によるメッセージの送受信を示しており、まずＢで秘密鍵と公開鍵を生成し、生成した公開鍵をＡで取得する。Ａでは取得した公開鍵で平文を暗号化してＢに送信する。Ｂは自分の秘密鍵で暗号文を復号する。実際には公開鍵暗号方式は複雑な演算処理を必要とするので高速な処理を実現するため、公開鍵暗号方式と共通鍵暗号方式を組合せて用いられ、メッセージを送信する際に公開鍵暗号方式を用いて共通鍵を安全に送信し、この送信された共通鍵を用いてメッセージを暗号化する。本実施形態では、ユニークＩＤとアクセスコードが、予めコンテンツサーバ１のデータベース１９に登録されているので、鍵の交換手続の一部を省略することができる。
【００２８】
図７の下段は、上述した公開鍵暗号方式によるメッセージの送受信とは逆の、秘密鍵で暗号化し公開鍵で復号する方法を示しており、秘密鍵が特定の個人のみ所有していることから、電子文書の認証と安全性の保証を行うことができ、これをデジタル署名として使用する。
実際に暗号通信を行なう場合は、共通鍵暗号方式と公開鍵暗号方式とを組み合わせて、それぞれの長所と短所を補うハイブリッド方式を用いることが多い。その説明図は省略するが、その場合、本実施形態では、アクセスコードを公開鍵に、ユニークＩＤを共通鍵に使用して、公開鍵のアクセスコードでユニークＩＤの共通鍵を暗号化する。携帯電話２ではユニークＩＤの共通鍵で、ユニークＩＤ自身を暗号化して送信する。コンテンツサーバ１は、携帯電話２から送信されたアクセスコードを予めコンテンツサーバ１のデータベース１９に登録されているアクセスコードを検索し、対応する秘密鍵を用いて公開鍵で暗号化された共通鍵を復号し、ユニークＩＤの共通鍵を用いて暗号化されたユニークＩＤ自身の暗号文を復号してユニークＩＤを照合する。
【００２９】
コンテンツサーバ１は携帯電話２より受信したユニークＩＤとアクセスコードを基に対応するデジタルコンテンツをデータベース１９より検索し、要求のあった携帯電話２にそのコンテンツを配信するが、携帯電話２の通信事業者、機種等によって再生内容、表示領域、プログラムの実行環境等が異なっており、携帯電話２に対応した適切なコンテンツを配信する必要がある。携帯電話２を自動的に特定できる方法としては、ＩＥＴＦ（Ｉｎｔｅｒｎｅｔ  Ｅｎｇｉｎｅｅｒｉｎｇ  Ｔａｓｋ  Ｆｏｒｃｅ）が９５年に策定し、ＩＰアドレスが現在のＩＰバージョンの３２ビットから１２８ビットに拡張されたＩＰｖ６（Ｉｎｔｅｒｎｅｔ  Ｐｒｏｔｏｃｏｌ  ｖｅｒｓｉｏｎ  ６）を用いたＩＰアドレスを携帯電話に割当てるようにすれば、例えばＤＮＳ（Ｄｏｍａｉｎ  Ｎａｍｅ  Ｓｙｓｔｅｍ）サーバ等の予めＩＰアドレスを登録してあるＩＰアドレス参照サーバに照会することで、その携帯電話を特定することができる。
【００３０】
ＩＰｖ６ではＩＰＳｅｃ（Ｓｅｃｕｒｉｔｙ  Ａｒｃｈｉｔｅｃｔｕｒｅ  ｆｏｒ  Ｉｎｔｅｒｎｅｔ  Ｐｒｏｔｏｃｏｌ）２．０がプロトコルスイートとしてＲＦＣ（Ｒｅｑｕｅｓｔ  Ｆｏｒ  Ｃｏｍｍｅｎｔ）化されており、パケット内のデータの改ざんを防止するためのパケット認証を行う「ＡＨ（Ａｕｔｈｅｎｔｉｃａｔｉｏｎ  Ｈｅａｄｅｒ：認証ヘッダ）」と、認証と暗号化まで行う「ＥＳＰ（Ｅｎｃａｐｓｕｌａｔｉｎｇ  Ｓｅｃｕｒｉｔｙ  Ｐａｙｌｏａｄ）」というヘッダがあり、それぞれＶＰＮ装置等によってＩＰパケットに追加される。実際の暗号化においては、ＩＰパケット全体を暗号化する「トンネルモード」と、データ部分だけを暗号化する「トランスポートモード」が選択でき、前述した暗号化にこれを用いることもできる。
【００３１】
図８は、ＨＴＴＰリクエストヘッダ情報の説明図であり、現状の携帯電話２の機種等を特定し、適切なコンテンツを送信するための端末判別手段１６は、Ｗｅｂで使用されるドキュメント転送用のプロトコルのＨＴＴＰ（Ｈｙｐｅｒ  Ｔｅｘｔ  Ｔｒａｎｓｆｅｒ  Ｐｒｏｔｏｃｏｌ）ヘッダ中に含まれるＨＴＴＰリクエストヘッダ情報を参照することで行う。図８（ａ）はＫ通信事業者が使用しているリクエストヘッダ情報ＨＴＴＰ＿ＵＳＥＲ＿ＡＧＥＮＴの内容の一例であり、機種名、ブラウザ名、バージョン、サーバ名を含んでいる。また、図８（ｂ）はＤ通信事業者が用いているヘッダ情報の一例であり、機種名、キャッシュ容量、通信状態を示す状態コード、表示可能バイト数、及び固体識別情報等が含まれている。携帯電話２からのデータはＷｅｂブラウザ２２により直接、或いは通信事業者の変換・中継サーバによりＨＴＴＰプロトコルに変換され、携帯電話２はこのＨＴＴＰによりコンテンツサーバ１との通信を行う。コンテンツサーバ１は、このＨＴＴＰリクエストヘッダ情報を参照して携帯電話２の機種等を判別し、適切な形式のコンテンツを配信することができる。
【実施例２】
【００３２】
図５は、本実施形態による情報配信システムの実施例２の概念図であり、アクセスカード３から読取ったユニークＩＤとアクセスコードの送信、及びコンテンツを使用する際の認証のためのライセンス情報やアクセスキーの授受に第１の通信経路として携帯電話網５を用い、コンテンツ自身は、第２の通信経路として設けられインターネットに直接接続されたＩＥＥＥ８０１．１１ｂ／ｇ／ａ等の無線ＬＡＮ（Ｌｏｃａｌ  Ａｒｅａ  Ｎｅｔｗｏｒｋ）６によるアクセスポイントから受信するか、或いはメモリカード７を用いて別途入手したコンテンツを携帯電話２に取込むものである。ここで図１に示した実施例１と重複する構成部分の説明は省略するが、システムは図２に示した構成に無線ＬＡＮ６による第２の通信経路を加えた構成になる。メモリカード７を用いる場合は商品キャンペーンのグッズ（おまけ）としての提供よりは、メモリカード７自身の価格が相対的に高価になることから無償提供をすることが難しくなるためアクセスカード３と共にユーザが購入する形態になることが想定される。
【実施例３】
【００３３】
図６は、本実施形態による情報配信システムの実施例３の概念図であり、アクセスカードとしてＩＣチップを埋め込んだＲＦＩＤチップタグを用いる。
ＲＦＩＤ（Ｒａｄｉｏ  Ｆｒｅｑｕｅｎｃｙ  Ｉｄｅｎｔｉｆｉｃａｔｉｏｎ）タグは、無線ＩＣタグ、ＲＦＩＣ（Ｒａｄｉｏ  Ｆｒｅｑｕｅｎｃｙ  Ｉｎｔｅｇｒａｔｅｄ  Ｃｉｒｃｕｉｔ）タグとも呼ばれ、無線通信でデータ交換することにより自動認識するための記録媒体を組込んだもので、非接触型ＩＣカードや製品ラベル等に用いられる比較的大きな形状のものから、一見判別が難しい微細なもの（ミューチップ）まで、様々なものが提案されており、野菜や食肉等の食品トレーサビリティでの応用例があるようにユビキタスＩＤとしても注目されている。
後者のミューチップを用いたＲＦＩＤタグは、流通業界において、バーコードに変わる商品識別・管理手段として最近実用化の動きがあるもので、その回路構成は図９に示すようなものとなっている。ＲＦＩＤタグには、電池内蔵のアクテイブタイプとＲＦ信号そのものの電磁誘導を用いて電源を供給するパッシブタイプがあり、通信距離等の目的・用途に応じて使い分けられる。また、ＲＦＩＤタグは、ＩＳＯ／ＩＥＣ１８０００−６として確定されており、その使用周波数の違いにより、１３５ｋＨｚ以下、１３．５６ＭＨｚ、４３３ＭＨｚ、８６０〜９６０ＭＨｚ、２．４５ＧＨｚ等に分類されている。最近追加されたＵＨＦ帯は通信距離が他に比較して長いので注目されている。
現在、粘着ラベル・タイプのＲＦＩＤタグが存在しており、そのためのＲＦエンコーダ搭載型プリンタも市販されている。本実施形態のアクセスカード３としては、前述の２次元コードを印刷したものに加えてＲＦＩＤタグを組合せた形態としてもよい。また、ＲＦＩＤチップタグには、読取り専用だけでなく書き込み可能なものを使用してもよい。
【００３４】
以上説明した事業者側が用意したコンテンツサーバ１の構成は、これに限定されるものでなく、認証を別の認証サーバによって行うことや、管理サーバとコンテンツサーバに分け、コンテンツ自身の配信はこのコンテンツ専用サーバにより行う構成も可能である。またコンテンツサーバ１と接続するユーザ端末は、携帯電話２に限定されることなく、ＰＣ（パーソナルコンピュータ）等、通信ネットワーク４を介してコンテンツサーバ１に接続し、音楽や画像コンテンツが利用できるように構成されたものであればどのような通信端末を用いてもよい。また、印刷シート等の記録担体３が販売される形態は、店頭にて販売される形態、書籍等に添付される形態、書籍等の刊行物に一定金額分を上乗せして販売価格とした利用や、販売サービスとして無償で供与される形態、商品キャンペーンのグッズ（おまけ）として、企業のプレゼント等として、利用することが可能である。
【００３５】
また、本発明の情報配信システムは、事業者が印刷シート等の記録担体３を販売して、業務委託したコンテンツサーバ１により各種コンテンツを運営管理するようにしてもよい。これにより、事業者が、自社で音楽コンテンツや画像コンテンツを所有しなくとも、これを仲介するだけで、音楽コンテンツや画像コンテンツが提供できるものとなる。また、印刷シート等の記録担体３に印刷されるユニークＩＤ及びアクセスコードは、任意の桁数の数字や英数字の組合せ、もしくは特殊記号等でもよく、記録担体３の購入者（サービスとして受け取った者を含む）によってのみユニークＩＤ及びアクセスコードを得ることができるようにする。
【図面の簡単な説明】
【００３６】
【図１】本発明の実施形態による情報配信システムの実施例１の概念図である。
【図２】図１に示すシステムの概略構成図である。
【図３】（ａ）は、印刷シートを示し、（ｂ）は、その印刷シートから剥離したカード部の背面を示す説明図である。
【図４】図３に示すカード部に埋め込まれたＵＲＬの説明図である。
【図５】本発明の実施形態による情報配信システムの実施例２の概念図である。
【図６】本発明の実施形態による情報配信システムの実施例３の概念図である。
【図７】暗号キーを用いた暗号化及び電子署名の説明図である。
【図８】ＨＴＴＰリクエストヘッダ情報の説明図である。
【図９】ＲＦＩＤチップタグの概略構成図である。
【符号の説明】
【００３７】
１    コンテンツサーバ
２    携帯通信端末（携帯電話）
３    記録担体（印刷シート／アクセスカード／ＲＦＩＤチップタグ）
３ａ    シート本体
３ｂ    被覆シート
３ｃ    カード部（アクセスカード）
４    通信ネットワーク（インターネット）
５    基地局（無線通信ネットワーク）
６    アクセスポイント（無線ＬＡＮ）
７    メモリカード
１１    中央制御部
１２    Ｗｅｂサーバ
１３    ＦＴＰサーバ
１４、２５    暗号生成手段
１５    照合・認証手段
１６    端末判別手段
１７    コンテンツ送信手段
１８、２８    スケジュール管理手段
２１    ＣＰＵ
２２    Ｗｅｂブラウザ
２３    ＩＤ情報読取手段
２４    ＩＤ情報送信手段
２６    コンテンツ受信手段
２７    コンテンツ再生／実行手段
【図１】
2006184980.tif 000003
【図２】
2006184980.tif 000004
【図３】
2006184980.tif 000005
【図４】
2006184980.tif 000006
【図５】
2006184980.tif 000007
【図６】
2006184980.tif 000008
【図７】
2006184980.tif 000009
【図８】
2006184980.tif 000010
【図９】
2006184980.tif 000011